(57)【要約】【課題】フィルタ本体に抽出液を注ぎ入れるための開口を形成しても、フィルタ本体が２つに分離されず、廃棄するものを１つにすることができる抽出用フィルタを提供する。【解決手段】フィルタ本体３の上面にはミシン目５がコ字状に形成され、ホルダ１５の中心部にはミシン目１７、１７と切れ目１９が形成されている。ミシン目１７と切れ目１９に囲まれた部分が開放片２１となる。ホルダ１５は接着部３５を介してフィルタ本体３の上面に固着され、開放片２１は接着部３７を介してミシン目５に囲まれた部分に固着されている。ミシン目１７を破断しながら開放片２１を引き起こし、折り目線２５に沿って折り曲げる。開放片２１は基端に連結部を残した状態で開放される。開放片２１を起こすと同時にフィルタ本体３のミシン目５が破断され、ミシン目５に囲まれた部分は開放片２１と共に開放される。フィルタ本体３には開口３９が形成される。【選択図】        図１
2012187240.tif 000002
【特許請求の範囲】
【請求項１】
透水性を有する材料から成り袋状に形成され被抽出物が封入されるフィルタ本体と、前記フィルタ本体に固定され前記フィルタ本体をカップ等の容器に支持するホルダと、前記フィルタ本体に形成されたフィルタ側易破断部とを有し、前記フィルタ側易破断部を破断すると抽出液を前記フィルタ本体内へ注ぎ入れるための開口が形成される抽出用フィルタにおいて、
前記ホルダにはホルダ側易破断部が形成され、前記ホルダ側易破断部を破断すると前記ホルダ側易破断部に囲まれた部分から成る開放片が一端に連結部を残した状態で開放可能となり、且つ前記開放片は前記フィルタ本体の前記フィルタ側易破断部に囲まれた部分に固着されていることを特徴とする抽出用フィルタ。
【請求項２】
請求項１に記載した抽出用フィルタにおいて、開放片はフィルタ側易破断部に囲まれた部分と重なる位置に備えられていることを特徴とする抽出用フィルタ。
【請求項３】
請求項１または２に記載した抽出用フィルタにおいて、開放片には摘み部が形成されていることを特徴とする抽出用フィルタ。
【発明の詳細な説明】
【技術分野】
【０００１】
本発明は抽出用フィルタにかかり、特にレギュラーコーヒーや紅茶等を封入した抽出用フィルタに関するものである。
【背景技術】
【０００２】
抽出用フィルタには、例えば特許文献１に記載されたものがある。この特許文献１に記載されたドリップバッグは、レギュラーコーヒー等の被抽出物が充填された袋状のフィルタ本体と、このフィルタ本体に固着されたホルダとを有している。
このドリップバッグを使用する場合には、フィルタ本体に設けられたミシン目に沿ってフィルタ本体の上端部を破り取り、開口を形成する。そして、ホルダに設けられた係止部を引き起こし、この係止部をカップの縁に係止してフィルタ本体をカップに置く。次いで、フィルタ本体の開口から湯等の抽出液を注ぎ入れて、レギュラーコーヒー等の抽出を行う。
【先行技術文献】
【特許文献】
【０００３】
【特許文献１】特開２００４−２４２８４７号公報
【発明の概要】
【発明が解決しようとする課題】
【０００４】
しかしながら、従来の抽出用フィルタでは、上記したようにミシン目に沿ってフィルタ本体の上端部を完全に破り取って、抽出液を注ぎ入れるための開口を形成するので、フィルタ本体は破り取った部分と被抽出物が充填された部分とに分離されることになる。従って、廃棄するものが２つになってしまい面倒であるという問題がある。
【０００５】
本発明は上記従来の問題点に着目して為されたものであり、フィルタ本体に抽出液を注ぎ入れるための開口を形成しても、フィルタ本体が２つに分離されず、廃棄するものを１つにすることができる抽出用フィルタを提供することを、その目的とする。
【課題を解決するための手段】
【０００６】
本発明は上記課題を解決するためになされたものであり、請求項１の発明は、透水性を有する材料から成り袋状に形成され被抽出物が封入されるフィルタ本体と、前記フィルタ本体に固定され前記フィルタ本体をカップ等の容器に支持するホルダと、前記フィルタ本体に形成されたフィルタ側易破断部とを有し、前記フィルタ側易破断部を破断すると抽出液を前記フィルタ本体内へ注ぎ入れるための開口が形成される抽出用フィルタにおいて、前記ホルダにはホルダ側易破断部が形成され、前記ホルダ側易破断部を破断すると前記ホルダ側易破断部に囲まれた部分から成る開放片が一端に連結部を残した状態で開放可能となり、且つ前記開放片は前記フィルタ本体の前記フィルタ側易破断部に囲まれた部分に固着されていることを特徴とする抽出用フィルタである。
【０００７】
請求項２の発明は、請求項１に記載した抽出用フィルタにおいて、開放片はフィルタ側易破断部に囲まれた部分と重なる位置に備えられていることを特徴とする抽出用フィルタである。
【０００８】
請求項３の発明は、請求項１または２に記載した抽出用フィルタにおいて、開放片には摘み部が形成されていることを特徴とする抽出用フィルタである。
【発明の効果】
【０００９】
本発明の抽出用フィルタによれば、開放片が一端に連結部を残した状態で開放可能となり、且つ開放片はフィルタ本体のフィルタ側易破断部に囲まれた部分に固着されているので、フィルタ本体に抽出液を注ぎ入れるための開口を形成しても、フィルタ本体が２つに分離されず、廃棄するものを１つにすることができる。
【図面の簡単な説明】
【００１０】
【図１】本発明の実施の形態に係る抽出用フィルタの斜視図である。
【図２】図１の抽出用フィルタの分解斜視図である。
【図３】図１の抽出用フィルタのフィルタ本体に開口を形成した状態を示す図である。
【図４】フィルタ本体をホルダによってカップに支持した状態を示す図である。
【図５】フィルタ本体を構成するシート材料の平面図である。
【図６】図１の抽出用フィルタを製造する様子を示す図である。
【発明を実施するための形態】
【００１１】
本発明の実施の形態に係る抽出用フィルタ１を図面にしたがって説明する。
符号３は矩形袋状のフィルタ本体を示し、このフィルタ本体３は、透水性を有し、且つヒートシール可能な材料、例えばポリエチレン繊維製不織布によって構成されている。図２に示すようにフィルタ本体３の上面には、フィルタ側易破断部としてのミシン目５がコ字状に形成されている。
【００１２】
フィルタ本体３の下面には縦シール部７（図６参照）が形成されており、フィルタ本体３の両端部には横シール部９、１１が形成されている。また、フィルタ本体３の側部にはギャザー１３がそれぞれ形成されている。
フィルタ本体３には、被抽出物としてのレギュラーコーヒーＨが封入されている。
【００１３】
符号１５はホルダを示し、このホルダ１５は厚紙製で、略長方形に形成されている。
ホルダ１５の中心部には、ホルダ側易破断部としてのミシン目１７、１７が形成され、更に、これらのミシン目１７、１７の一端部（図２において左端部）に連続する切れ目１９が形成されている。ミシン目１７と切れ目１９に囲まれた部分が開放片２１となっている。切れ目１９は外方へ向かって突出するように湾曲し、この突出する部分が開放片２１の摘み部２３となっている。
開放片２１の基端部には折り目線２５が設けられている。
【００１４】
ホルダ１５の長手方向の両端部には、切れ目２７がそれぞれ形成されている。切れ目２７は略Ｖ字状を為しており、中央部が外方に向かって湾曲し、且つ両端部が内方に向かって湾曲している。切れ目２７を境にして内方の略三角形の部分が内側係止片３０となり、外方の部分が外側係止片３１となる。
外側係止片３１には、切れ目２９が形成されており、切れ目２９は、切れ目２７の傾斜部に連続し、ホルダ１５の角部に向かって延びている。切れ目２７と切れ目２９で挟まれた略三角形の部分は当接部３３となる。
【００１５】
図１に示すようにホルダ１５は接着部３５を介してフィルタ本体３の上面に固着されており、ホルダ１５の両端部はフィルタ本体３の両側へ突出した状態となっている。
開放片２１はフィルタ本体３のミシン目５に囲まれた部分と重なる位置に備えられており、この開放片２１は接着部３７を介してミシン目５に囲まれた部分に固着されている。
【００１６】
次に、この抽出用フィルタ１の使用方法について説明する。
図３に示すように、摘み部２３を摘んでミシン目１７を破断させながら開放片２１を引き起こし、折り目線２５に沿って折り曲げる。これにより開放片２１は基端に連結部を残した状態で開放される。
上記したように開放片２１は接着部３７を介してミシン目５に囲まれた部分に固着されているので、開放片２１を起こすと同時にフィルタ本体３のミシン目５が破断され、ミシン目５に囲まれた部分は開放片２１と共に開放される。これによりフィルタ本体３に開口３９が形成される。
【００１７】
図４に示すようにホルダ１５を湾曲させ、外側係止片３１を外側に開いて、内側係止片３０と外側係止片３１を容器としてのカップＣの縁に係止する。当接部３３はカップＣの外周縁に当接する状態となる。
これによりフィルタ本体３はホルダ１５によってカップＣに支持される。
次いで、フィルタ本体３の開口３９から抽出液としての湯を注ぎ入れて、レギュラーコーヒーＨの抽出を行う。抽出成分を含む湯はフィルタ本体３から滲出してカップＣに貯留される。
【００１８】
前述したように開放片２１は接着部３７を介してミシン目５に囲まれた部分に固着されており、しかも開放片２１は基端に連結部を残した状態で開放されるので、フィルタ本体３に湯を注ぎ入れるための開口３９を形成しても、フィルタ本体３は２つに分離されることがない。従って、廃棄するものを１つにすることができる。
【００１９】
また、開放片２１はフィルタ本体３のミシン目５に囲まれた部分と重なる位置に備えられているので、ミシン目１７を破断しながら開放片２１を引き起こすだけで、同時にフィルタ本体３のミシン目５が破断され、ミシン目５に囲まれた部分が開放片２１と共に開放されることになる。
更に、開放片２１の先端部には摘み部２３が形成されているので、この摘み部２３を指で摘んで引き起こすだけで、ホルダ１５のミシン目１７をフィルタ本体３のミシン目５と共に容易に破断することが可能である。
【００２０】
次に、抽出用フィルタ１の製造方法について説明する。
図５に示すように、フィルタ本体３を構成するシート材料４１に一定間隔をあけてホルダ１５を固着しておく。
ロール状に巻き取られたシート材料４１を製袋充填機の繰出しホイール（図示せず）に装着する。
図６に示すように製袋充填機は既存のもので、上記繰出しホイール、超音波シール装置の超音波ホーン４３と受けロール部材４５、投入シュート４７、ギャザープレート５１、超音波シール装置の超音波ホーン５３と受けロール部材５５等を備えている。
【００２１】
シート材料４１はガイドローラ（図示せず）にガイドされながら下方へ送られて、その側縁どうしが重ね合わされた状態で保持され筒状となる。そして、超音波シール装置の超音波ホーン４３と受けロール部材４５によってシールアンドカットされて縦シール部７が形成される。なお、図５における仮想線Ｓのところがシールアンドカットされる箇所である。
筒状になったシート材料４１は、更に下方へ送られ、投入シュート４７の下側開口４９のすぐ下に来たところで、ギャザープレート５１がシート材料４１の左右両側を押し込み、縦方向に延びるギャザー１３が形成される。
【００２２】
次いで、図示しない駆動機構によって超音波ホーン５３と受けロール部材５５が仮想線で示すようにＡ−Ｂ方向へ動作して、超音波ホーン５３と受けロール部材５５とによってシールアンドカットされて、下側の横シール部９が形成される。
次に、図示しない計量装置によって計量された被抽出物としてのレギュラーコーヒーＨが投入シュート４７へ投入され、下側開口４９から下側の横シール部９によって先端部が閉鎖されているシート材料４１の先端部分、即ち充填部に収容される。
【００２３】
そして、シート材料４１がフィルタ本体３の幅寸法分のピッチで送られてから、超音波ホーン５３と受けロール部材５５がＡ−Ｂ方向へ動作する。超音波ホーン５３と受けロール部材５５とによってシールアンドカットされて、上側の横シール部１１が形成されると共に抽出用フィルタ１が完成してシート材料４１から切り離される。
また、上記横シール部１１が形成されるのと同時に、次に製造される抽出用フィルタ１の下側の横シール部９が形成される。
製袋充填機は上記工程を繰り返して、抽出用フィルタ１を連続して製造する。
【００２４】
このように抽出用フィルタ１は、連続的にフィルタ本体３を形成しながらフィルタ本体３に被抽出物を充填できる既存の製袋充填機によって製造することが可能である。
【００２５】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、フィルタ側易破断部をミシン目５によって構成し、ホルダ側易破断部をミシン目１７によって構成したが、フィルタ側易破断部とホルダ側易破断部はミシン目５、１７に限定されず、フィルタ側易破断部とホルダ側易破断部を、例えば切れ目、連続部、切れ目、連続部…によって構成してもよい。
また、ミシン目５をコ字状に形成したが、ミシン目５はコ字状に限定されず、ミシン目５をＣ字状や矩形状等に形成してもよい。
【００２６】
更に、ホルダ１５を紙製としたが、ホルダ１５を、例えば合成樹脂によって構成してもよく、また、ホルダ１５を略長方形に形成したが、ホルダ１５の形状を適宜変更してもよい。
被抽出物をレギュラーコーヒーＨとしたが、被抽出物を茶葉等としてもよく、また、抽出液を湯としたが、抽出液を被抽出物の種類によって適宜変更してもよい。
そして、フィルタ本体３の側部にギャザー１３を形成したが、フィルタ本体３はギャザー１３を有さない構成としてもよい。
容器をカップＣとしたが、容器を、例えばグラスや紙コップとしてもよい。
【産業上の利用可能性】
【００２７】
本発明は、抽出用フィルタの製造業に利用可能である。
【符号の説明】
【００２８】
１…抽出用フィルタ      ３…フィルタ本体      ５…ミシン目
７…縦シール部      ９、１１…横シール部      １３…ギャザー
１５…ホルダ      １７…ミシン目      １９…切れ目
２１…開放片      ２３…摘み部      ２５…折り目線
２７、２９…切れ目      ３０…内側係止片      ３１…外側係止片
３３…当接部      ３５、３７…接着部      ３９…開口
４１…シート材料      ４３…超音波ホーン      ４５…受けロール部材
４７…投入シュート      ４９…下側開口      ５１…ギャザープレート
５３…超音波ホーン      ５５…受けロール部材
Ｈ…レギュラーコーヒー      Ｃ…カップ
【図１】
2012187240.tif 000003
【図２】
2012187240.tif 000004
【図３】
2012187240.tif 000005
【図４】
2012187240.tif 000006
【図５】
2012187240.tif 000007
【図６】
2012187240.tif 000008